(57)【要約】【課題】トランスの巻線数を容易に変更可能で、自由度が高く作業性を向上し得る。【解決手段】実施形態によれば、送信機用の合成部は、複数の増幅器それぞれに接続されるトランスの１次側巻線と、トランスの１次側巻線に対向するトランスの２次側巻線とからなる送信機用の合成部を対象とし、複数のコア支持ユニットと、固定体とを備えるようにしたものである。複数のコア支持ユニットは、１次側巻線が巻かれたトロイダル型コアを支持する支持板と、トロイダル型コアを支持板に固定する固定手段と、トロイダル型コアの内部、または、トロイダル型コアの周囲のいずれか一方に、２次側巻線を挿通する挿通部とを有する。固定体は、複数のコア支持ユニットがそれぞれ着脱可能に取り付けられ、複数のコア支持ユニットを積み重ねる方向に沿って形成される複数の受部を有する。【選択図】      図４
2014216848.tif 000002
【特許請求の範囲】
【請求項１】
複数の増幅器それぞれに接続されるトランスの１次側巻線と、前記トランスの１次側巻線に対向する前記トランスの２次側巻線とからなる送信機用の合成部であって、
前記１次側巻線が巻かれたトロイダル型コアを支持する支持板と、前記トロイダル型コアを前記支持板に固定する固定手段と、前記トロイダル型コアの内部、または、前記トロイダル型コアの周囲のいずれか一方に、前記２次側巻線を挿通する挿通部とを有する複数のコア支持ユニットと、
前記複数のコア支持ユニットがそれぞれ着脱可能に取り付けられ、前記複数のコア支持ユニットを積み重ねる方向に沿って形成される複数の受部を有する固定体と
を具備することを特徴とする送信機用の合成部。
【請求項２】
前記受部は、前記コア支持ユニットの端縁部が係合される係合溝であることを特徴とする請求項１記載の送信機用の合成部。
【請求項３】
前記コア支持ユニットは、前記固定体に取り付けるピンを有し、
前記受部は、前記ピンが係合される穴であることを特徴とする請求項１記載の送信機用の合成部。
【請求項４】
前記固定手段は、前記トロイダル型コアを前記支持板に結束する結束線、または前記トロイダル型コアを前記支持板に接着する接着部であることを特徴とする請求項１記載の送信機用の合成部。
【請求項５】
前記トロイダル型コアの内部に形成される挿通部を挿通する２次側巻線は、他のトロイダル型コアの内部に形成される挿通部を挿通する２次側巻線と並列接続されることを特徴とする請求項１記載の送信機用の合成部。
【請求項６】
被変調信号の電圧振幅レベルに応じてオン／オフ制御可能で並列に配置された複数の電力増幅器で所定の信号を電力増幅し、各電力増幅器に接続されるトランスの１次側巻線と、前記トランスの１次側巻線に対向する前記トランスの２次側巻線とから成る合成部で各電力増幅器の出力を合成することで振幅変調波を生成するデジタル振幅変調装置において、
前記合成部は、
前記１次側巻線が巻かれたトロイダル型コアを支持する支持板と、前記トロイダル型コアを前記支持板に固定する固定手段と、前記トロイダル型コアの内部、または、前記トロイダル型コアの周囲のいずれか一方に、前記２次側巻線を挿通する挿通部とを有する複数のコア支持ユニットと、
前記複数のコア支持ユニットがそれぞれ着脱可能に取り付けられ、前記複数のコア支持ユニットを積み重ねる方向に沿って形成される複数の受部を有する固定体と
を備えるようにしたことを特徴とするデジタル振幅変調装置。
【請求項７】
前記受部は、前記コア支持ユニットの端縁部が係合される係合溝であることを特徴とする請求項６記載のデジタル振幅変調装置。
【請求項８】
前記コア支持ユニットは、前記固定体に取り付けるピンを有し、
前記受部は、前記ピンが係合される穴であることを特徴とする請求項６記載のデジタル振幅変調装置。
【請求項９】
前記固定手段は、前記トロイダル型コアを前記支持板に結束する結束線、または前記トロイダル型コアを前記支持板に接着する接着部であることを特徴とする請求項６記載のデジタル振幅変調装置。
【請求項１０】
前記トロイダル型コアの内部に形成される挿通部を挿通する２次側巻線は、他のトロイダル型コアの内部に形成される挿通部を挿通する２次側巻線と並列接続されることを特徴とする請求項６記載のデジタル振幅変調装置。
【発明の詳細な説明】
【技術分野】
【０００１】
本発明の実施形態は、例えば、中波放送の送信機に用いられるトロイダル型コアを利用した合成部、及び、当該合成部を具備するデジタル振幅変調装置に関する。
【背景技術】
【０００２】
例えば中波放送においては、送信機にデジタル振幅変調装置が利用されている。デジタル振幅変調装置は、並列に配置された複数の電力増幅器を有し、被変調信号の電圧振幅レベルに合わせて複数の電力増幅器をオン／オフ制御することで増幅されたキャリア信号が出力される電力増幅器の台数を変更し、オン状態の電力増幅器の各出力信号を合成することでＡＭ波（振幅変調波：Amplitude Modulation Wave）を生成し所定の放送サービスエリアへ送出する。
【先行技術文献】
【特許文献】
【０００３】
【特許文献１】特開平８−２３７０６３号公報
【非特許文献】
【０００４】
【非特許文献１】中波ディジタル変調送信機とその運用、放送技術、1991年4月号（PP.348、図8など）
【発明の概要】
【発明が解決しようとする課題】
【０００５】
ところで、上記デジタル振幅変調装置では、複数の電力増幅器の出力を合成する合成部において、複数のトロイダル型コアを使用したトランスを使用する。合成部は、トランスの巻数比を変えることで、電力増幅器の出力電力を変化させている。直列加算トランスは、コアを挟み込む構造となっており、製作する時には、予め位置決めを行い、複数のコアを固定する必要がある。
【０００６】
本発明の目的は、トランスの巻線数を容易に変更可能で、自由度が高く作業性を向上し得る送信機用の合成部及びデジタル振幅変調装置を提供することにある。
【課題を解決するための手段】
【０００７】
実施形態によれば、送信機用の合成部は、複数の増幅器それぞれに接続されるトランスの１次側巻線と、トランスの１次側巻線に対向するトランスの２次側巻線とからなる送信機用の合成部を対象とし、複数のコア支持ユニットと、固定体とを備えるようにしたものである。複数のコア支持ユニットは、１次側巻線が巻かれたトロイダル型コアを支持する支持板と、トロイダル型コアを支持板に固定する固定手段と、トロイダル型コアの内部、または、トロイダル型コアの周囲のいずれか一方に、２次側巻線を挿通する挿通部とを有する。固定体は、複数のコア支持ユニットがそれぞれ着脱可能に取り付けられ、複数のコア支持ユニットを積み重ねる方向に沿って形成される複数の受部を有する。
【図面の簡単な説明】
【０００８】
【図１】本実施形態に係るデジタル振幅変調装置の構成を示すブロック図。
【図２】本実施形態に係る合成部の具体的構成を示す回路図。
【図３】第１の実施形態に係る合成部を前面から見て示す平面図。
【図４】第１の実施形態に係る合成部内におけるコア支持ユニットの側面から見た図。
【図５】比較例として、合成部を前面から見て示す平面図。
【図６】同じく比較例としてトロイダル型のMn-Zn系フェライトコアの構成を側面から見て示す図。
【図７】第１の実施形態において、コア支持ユニットごとに２次側巻線の巻数を変更する場合を説明するために示す図。
【図８】第１の実施形態において、コア支持ユニット内のＭｎ−Ｚｎ系フェライトコアごとに２次側巻線の巻数を変更する場合を説明するために示す図。
【図９】１の実施形態において、コア支持ユニット内のＭｎ−Ｚｎ系フェライトコアごとに２次側巻線の巻数を変更した際のコア支持ユニットの側面から見た図。
【図１０】第２の実施形態に係る合成部を前面から見て示す平面図。
【図１１】第２の実施形態に係る合成部内におけるコア支持ユニットの側面から見た図。
【図１２】第３の実施形態に係る合成部を前面から見て示す平面図。
【図１３】第４の実施形態に係る合成部を前面から見て示す平面図。
【発明を実施するための形態】
【０００９】
以下、実施の形態について、図面を参照して説明する。
【００１０】
図１は、本実施形態に係るデジタル振幅変調装置の構成を示すブロック図である。
【００１１】
図１に示すデジタル振幅変調装置１００のキャリア信号入力端１０１には、伝送信号としてのキャリア信号が入力される。キャリア信号入力端１０１に入力されたキャリア信号は、制御部１１０を介して、電力増幅部（PA：Power Amplifier）１２０のｎ（ｎは任意の自然数）台の電力増幅器１２０１〜１２０ｎに分配されて供給される。各電力増幅器１２０１〜１２０ｎは、制御部１１０の制御に応じて、オン＝駆動状態、オフ＝停止状態となり、オン状態で増幅されたキャリア信号を出力する。
【００１２】
増幅されたキャリア信号は合成部１３０で合成され、フィルタ部１４０で濾波された後、振幅変調されたＲＦ帯の放送波（ＡＭ波）として出力信号端１０３から出力される。出力信号端１０３の先には図示しない送信アンテナが接続されるが、一般的にはその間に整合回路やフィルタ、リジェクタ、トラック回路などが挿入される。
【００１３】
一方、デジタル振幅変調装置１００の音声信号入力端１０２に入力される音声信号（被変調信号）は、制御部１１０に入力される。制御部１１０は、入力された音声信号の電圧振幅に応じて、オン／オフ制御信号やキャリア信号の位相差により各々の電力増幅器１２０１〜１２０ｎのオン／オフ状態を制御する。
【００１４】
図２は、図１に示したデジタル振幅変調装置１００における合成部１３０の具体的構成を示す回路構成図である。
【００１５】
合成部１３０は、ｎ個のトランス１３０１〜１３０ｎを備え、１次側巻線が電力増幅器１２０１〜１２０ｎのそれぞれの出力端に接続され、２次側巻線を直列に接続し、その一方端を、直接接地し、もしくは、コイル、コンデンサ、抵抗、またはそれらの組み合わせを介して接地し、他方端を合成出力端としたものである。すなわち、合成部１３０では、電力増幅器１２０１〜１２０ｎのいずれかで電力増幅されたキャリア信号が１次側巻線に加えられると、２次側巻線に出力され、合成される。この合成出力は、上記フィルタ部１４０へ導出される。
【００１６】
（第１の実施形態）  
第１の実施形態では、トランス１３０１〜１３０ｎの１次側巻線２１−１〜２１−ｎを巻いた２つのトロイダル型のＭｎ−Ｚｎ系フェライトコアを支持するコア支持ユニットを、固定部の溝により固定するようにしたものである。
【００１７】
図３は、上記合成部１３０の第１の実施形態を示す平面図である。
【００１８】
図３は、トランス１３０１〜１３０ｎの１次側巻線２１−１〜２１−ｎ（図３中では、２１−１のみ図示）を巻いた２つのトロイダル型のＭｎ−Ｚｎ系フェライトコア２２ａ，２２ｂを支持するｍ個のコア支持ユニット２０−１〜２０−ｍ（図３中では、２０−１〜２０−１１のみ図示）を上下の固定部２３ａ，２３ｂに固定している状態である。
【００１９】
固定部２３ａ，２３ｂには、コア支持ユニット２０−１〜２０−ｍを積み重ねる方向（図３中の左右方向）に沿って複数の溝２３１，２３２が形成されている。
【００２０】
ｍ個のコア支持ユニット２０−１〜２０−ｍは、固定部２３ａ，２３ｂに対しそれぞれ前後方向に着脱自在となるように固定されている。ｍ個のコア支持ユニット２０−１〜２０−ｍについて、コア支持ユニット２０−１を代表して説明する。
【００２１】
図４は、コア支持ユニット２０−１を図３中矢印Ａ１−Ａ２方向から見た図である。
【００２２】
コア支持ユニット２０−１は、１枚の支持板２０１に２つのトロイダル型のＭｎ−Ｚｎ系フェライトコア２２ａ，２２ｂを支持している。トロイダル型のＭｎ−Ｚｎ系フェライトコア２２ａ，２２ｂは、結束線２０２により支持板２０１に固定される。なお、Ｍｎ−Ｚｎ系フェライトコア２２ａ，２２ｂは、例えばリング状に形成される。また、トロイダル型のＭｎ−Ｚｎ系フェライトコア２２ａ，２２ｂは、図示しない接着部により支持板２０１に固定されてもよい。
【００２３】
また、コア支持ユニット２０−１には、トロイダル型のＭｎ−Ｚｎ系フェライトコア２２ａ，２２ｂの内部にトランス１３０１〜１３０ｎの２次側巻線２４を挿通する挿通部２０３ａ，２０３ｂを形成するとともに、Ｍｎ−Ｚｎ系フェライトコア２２ａ，２２ｂ間に、挿通部２０３ｃを形成している。また、Ｍｎ−Ｚｎ系フェライトコア２２ａ，２２ｂ間に限らず、Ｍｎ−Ｚｎ系フェライトコア２２ａの周囲、または、Ｍｎ−Ｚｎ系フェライトコア２２ｂの周囲に、２次側巻線２４を挿通する挿通部を形成してもよい。
【００２４】
図４（ａ）に示す状態では、コア支持ユニット２０−１が固定部２３ａ，２３ｂに取り付けられる前の状態にある。コア支持ユニット２０−１は、固定部２３ａ，２３ｂに取り付けられる際に、まず支持板２０１の背面が固定部２３ａ，２３ｂの溝２３１，２３２に係合する。そして、図４中矢印Ｂ方向に、支持板２０１が深く挿入されていくと、図４（ｂ）に示すように、コア支持ユニット２０−１が固定部２３ａ，２３ｂに固定されることになる。残りのコア支持ユニット２０−２〜２０−ｍについても、コア支持ユニット２０−１と同様に、固定部２３ａ，２３ｂに固定されることになる。
【００２５】
以後、ｎ個のコア支持ユニット２０−１〜２０−ｍが固定部２３ａ，２３ｂに固定された状態で、挿通部２０３ａ，２０３ｂに２次側巻線２４を挿通させる。
【００２６】
次に、上記構成において、２次側巻線２４の巻数を変更する場合を例にしてその動作を説明する。
【００２７】
図５は、本実施形態との比較例である、従来の上記合成部１３０を示す平面図である。図６は、トロイダル型のMn-Zn系フェライトコア３０ａ，３０ｂを図５中矢印Ａ３−Ａ４方向から見た図である。
【００２８】
図５に示すように、合成部１３０には、トロイダル型のMn-Zn系フェライトコア３０ａが複数設けられ、図５及び図６に示すように、複数のMn-Zn系フェライトコア３０ａは、３つの支持体３１ａ，３１ｂ，３１ｃにより挟み込まれる形で固定されている。また、合成部１３０には、トロイダル型のMn-Zn系フェライトコア３０ｂが複数設けられ、図５及び図６に示すように、複数のMn-Zn系フェライトコア３０ｂは、３つの支持体３１ｄ，３１ｅ，３１ｆにより挟み込まれる形で固定されている。複数のMn-Zn系フェライトコア３０ａ，３０ｂの固定箇所を定めるために、支持体３１ａ，３１ｂ，３１ｃ，３１ｄ，３１ｅ，３１ｆには複数の溝が設けられ、例えば、Mn-Zn系フェライトコア３０ａ，３０ｂは、１次側巻線３２が巻かれた状態で支持体３１ａ，３１ｂ，３１ｃ，３１ｄ，３１ｅ，３１ｆに設けられた当該溝により固定され、２次側巻線３３を中心に通すことで、直列加算型合成部は形成されている。
【００２９】
このような合成部１３０において、２次側巻線３３の巻数を変更する場合、複数のMn-Zn系フェライトコア３０ａ，３０ｂを支持体３１ａ，３１ｂ，３１ｃ，３１ｄ，３１ｅ，３１ｆから全て取り外す必要があり、作業効率が悪いものであった。また、支持体３１ａ，３１ｂ，３１ｃ，３１ｄ，３１ｅ，３１ｆに設けられる溝は、１次側巻線３２の巻数に合わせて幅を決定しているため、特定のフェライトコア３０ａ，３０ｂに巻かれている１次側巻線３２の巻数を増やす必要が生じた場合、支持体３１ａ，３１ｂ，３１ｃ，３１ｄ，３１ｅ，３１ｆに設けられた溝の幅を、増やした１次側巻線３２の巻数に応じて設計変更をしなければいけないという手間が生じていた。つまり、このような構成であると、１次側巻線３２の巻数の変更を行うことは容易ではなかった。また、１次側巻線３２のフェライトコア３０ａ，３０ｂへの巻き方による誤差、または、フェライトコア３０ａ，３０ｂの寸法誤差により、フェライトコア３０ａ，３０ｂが支持体３１ａ，３１ｂ，３１ｃ，３１ｄ，３１ｅ，３１ｆに設けられた溝に嵌らないこともあった。
【００３０】
本第１の実施形態では、図７に示すように、コア支持ユニット２０−１〜２０−４に対する２次側巻線２４の巻数を「１」に変更したい場合に、まず２次側巻線２４を合成部１３０から取り外し、しかる後にコア支持ユニット２０−１〜２０−４を固定部２３ａ，２３ｂから取り外す。そして、図７中左方向へ２つの溝２３１，２３２だけずらしてコア支持ユニット２０−１〜２０−４を固定部２３ａ，２３ｂに取り付ける。
【００３１】
以後、コア支持ユニット２０−１〜２０−４の挿通部２０３ａ，２０３ｂには、２次側巻線２４が１本通され、コア支持ユニット２０−５〜２０−１１の挿通部２０３ａ，２０３ｂには、２次側巻線２４が４本通される。従って、２次側巻線２４の巻数を変更したいコア支持ユニット２０−１〜２０−４だけ、固定部２３ａ，２３ｂから取り外して、固定部２３ａ，２３ｂに対する固定位置を変更するだけでよく、２次側巻線２４の巻数を変更しないコア支持ユニット２０−５〜２０−１１に何ら手を加える必要がない。
【００３２】
また、本第１の実施形態では、図８に示すように、コア支持ユニット２０−１〜２０−４のＭｎ−Ｚｎ系フェライトコア２２ａに対する２次側巻線２４の巻数を「１」とし、コア支持ユニット２０−１〜２０−４のＭｎ−Ｚｎ系フェライトコア２２ｂに対する２次側巻線２４の巻数を「４」に変更したい場合に、まず２次側巻線２４を合成部１３０から取り外し、しかる後にコア支持ユニット２０−１〜２０−４を固定部２３ａ，２３ｂから取り外す。そして、図７中左方向へ２つの溝２３１，２３２だけずらしてコア支持ユニット２０−１〜２０−４を固定部２３ａ，２３ｂに取り付ける。
【００３３】
以後、コア支持ユニット２０−１〜２０−４の挿通部２０３ａには、２次側巻線２４が１本通され、コア支持ユニット２０−５〜２０−１１の挿通部２０３ａ，２０３ｂには、２次側巻線２４が４本通される。
【００３４】
そして、コア支持ユニット２０−１〜２０−４の挿通部２０３ｃには、図８中矢印Ａ１−Ａ２方向から見た図である図９に示すように、２次側巻線２４が３本通され、コア支持ユニット２０−１〜２０−４の挿通部２０３ｂには、２次側巻線２４が４本通される。従って、２次側巻線２４の巻数を変更したいコア支持ユニット２０−１〜２０−４だけ、固定部２３ａ，２３ｂから取り外して、固定部２３ａ，２３ｂに対する固定位置を変更するだけでよく、２次側巻線２４の巻数を変更しないコア支持ユニット２０−５〜２０−１１に何ら手を加える必要がない。
【００３５】
以上のように上記第１の実施形態では、複数のコア支持ユニット２０−１〜２０−１１を、１枚の支持板２０１に２つのトロイダル型のＭｎ−Ｚｎ系フェライトコア２２ａ，２２ｂを支持する構成とし、さらに、１次側巻線をトロイダル型のＭｎ−Ｚｎ系フェライトコア２２ａ，２２ｂに巻くようにし、Ｍｎ−Ｚｎ系フェライトコア２２ａ，２２ｂの内部、Ｍｎ−Ｚｎ系フェライトコア２２ａ，２２ｂ間に２次側巻線２４を挿通する挿通部２０３ａ，２０３ｂ，２０３ｃを形成するようにしている。そして、複数のコア支持ユニット２０−１〜２０−１１を、固定部２３ａ，２３ｂの溝２３１，２３２に対し着脱自在となるように取り付けるようにしている。
【００３６】
従って、例えばコア支持ユニット２０−１〜２０−４の固定部２３ａ，２３ｂに対する固定位置を容易に変化できるため、トランス１３０１〜１３０ｎの巻数比を変えるために、あるＭｎ−Ｚｎ系フェライトコア２２ａ，２２ｂに対向する２次側巻線２４の巻数比を増減させることが容易となる。
【００３７】
また、トランス１３０１〜１３０ｎの巻数比を各々のＭｎ−Ｚｎ系フェライトコア２２ａ，２２ｂで変化させることで、巻き方に偏りが生じ１次側巻線２１−１の厚みが変化する場合、固定部２３ａ，２３ｂに対するコア支持ユニット２０−１〜２０−４の固定位置を変えることで、厚み方向へ容易に対応することが可能となる。例えば、本第１の実施形態においては、例えば、図３に示すコア支持ユニット２０−６のように、隣接するコア支持ユニット２０−５、及び、コア支持ユニット２０−７との距離を他のコア支持ユニット間の距離よりも広く配置することにより、１次側巻線２１−１の厚みが変化した場合の対応は容易に可能となる。なお、この第１の実施形態においては、コア支持ユニット２０−６の隣接するコア支持ユニット２０−５、及び、コア支持ユニット２０−７との距離を他のコア支持ユニット間の距離よりも広く配置する例を挙げて説明したが、他のコア支持ユニットにおいても同様なことが言える。
【００３８】
さらに、本第１の実施形態では、個別のＭｎ−Ｚｎ系フェライトコア２２ａ，２２ｂと、Ｍｎ−Ｚｎ系フェライトコア２２ａ，２２ｂを支持する支持板２０１とを製作し、最終的にコア支持ユニット２０−１〜２０−１１を固定部２３ａ，２３ｂに固定することができるため、例えば、解体時や移設時などの作業性が向上する。また、例えばコア支持ユニット２０−３とコア支持ユニット２０−４との間の距離を自由に変更することが可能であることにより、発熱が大きいコア支持ユニット２０−３のＭｎ−Ｚｎ系フェライトコア２２ａと他のＭｎ−Ｚｎ系フェライトコア２２ａとの距離を自由に変えることが可能となる。さらに、あるコア支持ユニット２０−４を固定部２３ａ，２３ｂから外して、そのコア支持ユニット２０−４上の各々のＭｎ−Ｚｎ系フェライトコア２２ａ，２２ｂの１次側巻線２１−４の巻き数を容易に変更することができるため、全てのコアを外す必要がなく、効率的に作業を行うことができる。
【００３９】
さらに、本第１の実施形態では、発熱によりＭｎ−Ｚｎ系フェライトコア２２ａが割れた場合には割れた破片が支持板２０１の上に落ちることになり、例えば、導電性を有する破片などが他のコアとの間に挟まり、通電して合成部１３０全体に損傷を与えることが少なくなる。もしくは、破片により１次側巻線２１−１〜２１−１１または２次側巻線２４が傷つくといったことが少なくなる。
【００４０】
また、本第１の実施形態では、Ｍｎ−Ｚｎ系フェライトコア２２ａ，２２ｂが１枚の支持板２０１に支持されているため、Ｍｎ−Ｚｎ系フェライトコア２２ａ，２２ｂに対する耐振動性が向上し、例えば、運搬時などにＭｎ−Ｚｎ系フェライトコア２２ａ，２２ｂに応力が与えられ、破損すること等が少なくなる。
【００４１】
さらに、本第１の実施形態では、冷却するための風がコア支持ユニット２０−１〜２０−１１間の隙間、もしくは２次側巻線２４の挿通部２０３ｃに導かれて、Ｍｎ−Ｚｎ系フェライトコア２２ａ，２２ｂから発生される熱を奪うことになるため、Ｍｎ−Ｚｎ系フェライトコア２２ａ，２２ｂを冷却することが容易となる。
【００４２】
（第２の実施形態）  
第２の実施形態では、トランス１３０１〜１３０ｎの１次側巻線２１−１〜２１−ｎを巻いた２つのトロイダル型のＭｎ−Ｚｎ系フェライトコアを支持するコア支持ユニットを、固定部の穴により固定するようにしたものである。
【００４３】
図１０は、上記合成部１３０の第２の実施形態を示す平面図である。図１０において、上記図３と同一部分には同一符号を付して詳細な説明を省略する。
【００４４】
図１０は、トランス１３０１〜１３０ｎの１次側巻線２１−１〜２１−ｎ（図１０中では、２１−１のみ図示）を巻いた２つのトロイダル型のＭｎ−Ｚｎ系フェライトコア２２ａ，２２ｂを支持するｍ個のコア支持ユニット２０−１〜２０−ｍ（図１０中では、２０−１〜２０−１１のみ図示）を上下の固定部４１ａ，４１ｂに固定している状態である。
【００４５】
固定部４１ａ，４１ｂには、コア支持ユニット２０−１〜２０−ｍを積み重ねる方向（図１０中の左右方向）に沿って複数の穴４１１，４１２が形成されている。
【００４６】
ｍ個のコア支持ユニット２０−１〜２０−ｍは、固定部４１ａ，４１ｂに対しそれぞれ前後方向に着脱自在となるように固定されている。ｍ個のコア支持ユニット２０−１〜２０−ｍについて、コア支持ユニット２０−１を代表して説明する。
【００４７】
図１１は、コア支持ユニット２０−１を図１０中矢印Ａ１−Ａ２方向から見た図である。
【００４８】
コア支持ユニット２０−１は、１枚の支持板２０１に２つのトロイダル型のＭｎ−Ｚｎ系フェライトコア２２ａ，２２ｂを支持している。トロイダル型のＭｎ−Ｚｎ系フェライトコア２２ａ，２２ｂは、結束線２０２により支持板２０１に固定される。
【００４９】
また、コア支持ユニット２０−１には、トロイダル型のＭｎ−Ｚｎ系フェライトコア２２ａ，２２ｂの内部にトランス１３０１〜１３０ｎの２次側巻線２４を挿通する挿通部２０３ａ，２０３ｂを形成するとともに、Ｍｎ−Ｚｎ系フェライトコア２２ａ，２２ｂ間に、挿通部２０３ｃを形成している。
【００５０】
さらに、コア支持ユニット２０−１の左右両側端には、固定部４１ａ，４１ｂに固定するための、ピン４２１，４２２が設けられている。
【００５１】
図１１（ａ）に示す状態では、コア支持ユニット２０−１が固定部４１ａ，４１ｂに取り付けられる前の状態にある。コア支持ユニット２０−１は、固定部４１ａ，４１ｂに取り付けられる際に、まず支持板２０１の背面が固定部４１ａ，４１ｂ間に挿入され、ピン４２１，４２２の頭部が穴４１１，４１２に近接する。そして、図１１中矢印Ｂ方向に、支持板２０１が深く挿入されていくと、図１１（ｂ）に示すように、ピン４２１，４２２が穴４１１，４１２に係合し、コア支持ユニット２０−１が固定部４１ａ，４１ｂに固定されることになる。残りのコア支持ユニット２０−２〜２０−ｍについても、コア支持ユニット２０−１と同様に、固定部４１ａ，４１ｂに固定されることになる。
【００５２】
以後、ｎ個のコア支持ユニット２０−１〜２０−ｍが固定部４１ａ，４１ｂに固定された状態で、挿通部２０３ａ，２０３ｂに２次側巻線２４を挿通させる。
【００５３】
以上のように第２の実施形態であっても、先の第１の実施形態と同様の作用効果が得られる。
【００５４】
また、この第２の実施形態においては、図１０に示すように、コア支持ユニット２０−６と隣接するコア支持ユニット２０−５及びコア支持ユニット２０−７との距離は、他のコア支持ユニット間よりも広く確保されている。このように構成することにより、コア支持ユニット２０−６に固定されているMn-Zn系フェライトコアに巻かれている１次側巻線の巻数を変更する場合、コア支持ユニット２０−６を取り外し、例えば、１次側巻線の巻数を増やしたとしても、前述したように、コア支持ユニット２０−６が隣接する他のコア支持ユニットとの距離は広く確保されているため、他のコア支持ユニットを固定部４１ａ，４１ｂに固定する位置変更は不要となるため、図５に示す従来の合成部１３０に比べて、効率的に作業を行うことができるという作用効果が得られる。尚、この第２の実施形態においては、コア支持ユニット２０−６を例に挙げて説明したが、他のコア支持ユニットにおいても同様なことが言える。
【００５５】
（第３の実施形態）  
第３の実施形態では、２次側巻線を、トランス１３０１〜１３０ｎの１次側巻線２１−１〜２１−ｎにそれぞれ対向するように並列接続したものである。
【００５６】
図１２は、上記合成部１３０の第３の実施形態を示す平面図である。図１２において、上記図３と同一部分には同一符号を付して詳細な説明を省略する。
【００５７】
図１２は、トランス１３０１〜１３０ｎの１次側巻線２１−１〜２１−ｎを巻いた２つのトロイダル型のＭｎ−Ｚｎ系フェライトコア２２ａ，２２ｂを支持するｍ個のコア支持ユニット２０−１〜２０−ｍを上下の固定部２３ａ，２３ｂに固定している状態である。
【００５８】
固定部２３ａ，２３ｂには、コア支持ユニット２０−１〜２０−ｎを積み重ねる方向（図１２中の左右方向）に沿って複数の溝２３１，２３２が形成されている。
【００５９】
ｍ個のコア支持ユニット２０−１〜２０−ｍは、固定部２３ａ，２３ｂに対しそれぞれ前後方向に着脱自在となるように固定されている。
【００６０】
例えば、コア支持ユニット２０−１が固定部２３ａ，２３ｂに固定された状態で、挿通部２０３ａに２次側巻線５１−１を挿通される。この２次側巻線５１−１は、コア支持ユニット２０−１の挿通部２０３ａを通った後、コア支持ユニット２０−１の挿通部２０３ｃを挿通して接地されることになる。また、コア支持ユニット２０−２が固定部２３ａ，２３ｂに固定された状態で、挿通部２０３ａに２次側巻線５１−２を挿通される。この２次側巻線５１−２は、コア支持ユニット２０−２の挿通部２０３ａを通った後、コア支持ユニット２０−１及びコア支持ユニット２０−２の挿通部２０３ｃを挿通して接地されることになる。
【００６１】
さらに、コア支持ユニット２０−１が固定部２３ａ，２３ｂに固定された状態で、挿通部２０３ｂに２次側巻線５１−ｎを挿通される。この２次側巻線５１−ｎは、コア支持ユニット２０−１の挿通部２０３ｂを通った後、直接接地されることになる。
【００６２】
第３の実施形態において、コア支持ユニット２０−１の挿通部２０３ａに２次側巻線５１−１の巻数を「１」から「２」に変更したい場合に、コア支持ユニット２０−１を固定部２３ａ，２３ｂから取り外して、挿通部２０３ａに、さらに１本の２次側巻線を挿通させる。従って、２次側巻線の巻数を変更したいコア支持ユニット２０−１だけ、固定部２３ａ，２３ｂから取り外すだけでよく、２次側巻線の巻数を変更しない他のコア支持ユニットに何ら手を加える必要がない。
【００６３】
また、第３の実施形態によれば、ｎ本の２次側巻線５１−１〜５１−ｎが並列接続であるので、例えば２次側巻線５１−３が断線しても、他のコア支持ユニットに影響を与えずに済む。
【００６４】
（第４の実施形態）  
図１３は、上記合成部１３０の第４の実施形態を示す平面図である。図１３において、上記図１２と同一部分には同一符号を付して詳細な説明を省略する。
【００６５】
本第４の実施形態では、ｎ本の２次側巻線６１−１〜６１−ｎを、トランス１３０１〜１３０ｎの１次側巻線２１−１〜２１−ｎにそれぞれ対向するように並列接続するとともに、コア支持ユニット２０−１〜２１−ｍのＭｎ−Ｚｎ系フェライトコア２２ａを挿通し、フィルタ部１４０に接続される２次側巻線と、Ｍｎ−Ｚｎ系フェライトコア２２ｂを挿通し、フィルタ部１４０に接続される２次側巻線とを異なる位置に配置したものである。
【００６６】
この第４の実施形態であっても、第３の実施形態と同様の効果が得られる。
【００６７】
（その他の実施形態）  
なお、上記各実施形態では、Mn-Zn系フェライトコアを想定しているが、Ni-Zn系のフェライトコアでも同様の合成部を構成することは可能であり、また、純鉄や電磁鋼板、アモルファス金属（Fe）やナノ材料などの軟磁性材料で構成されたトロイダル型コアでも同様の合成部を構成することは可能である。
【００６８】
さらに、上記各実施形態では、中波放送を想定し、合成部は単一の正弦波信号や矩形波信号を合成し、AM波を生成しているが、振幅や周波数・位相を変化させ、FM波やOFDM波などを生成することも可能である。
【００６９】
また、上記各実施形態では、コア支持ユニットの支持板２０１において、２つのトロダイル型コアを支持しているもので説明したが、トロダイル型コアの数は２つに限定されない。
【００７０】
その他、上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７１】
２０−１〜２０−ｍ…コア支持ユニット、２２ａ，２２ｂ…Ｍｎ−Ｚｎ系フェライトコア、２３ａ，２３ｂ，４１ａ，４１ｂ…固定部、２０１…支持板、２０２…結束線、２０３ａ，２０３ｂ，２０３ｃ…挿通部、２１−１〜２１−ｎ…１次側巻線、２４…２次側巻線、１００…デジタル振幅変調装置、１１０…制御部、１２０１〜１２０ｎ…電力増幅器、１３０…合成部、１４０…フィルタ部、２３１，２３２…溝、４１１，４１２…穴。
【図１】
2014216848.tif 000003
【図２】
2014216848.tif 000004
【図３】
2014216848.tif 000005
【図４】
2014216848.tif 000006
【図５】
2014216848.tif 000007
【図６】
2014216848.tif 000008
【図７】
2014216848.tif 000009
【図８】
2014216848.tif 000010
【図９】
2014216848.tif 000011
【図１０】
2014216848.tif 000012
【図１１】
2014216848.tif 000013
【図１２】
2014216848.tif 000014
【図１３】
2014216848.tif 000015
【手続補正書】
【提出日】平成25年11月29日(2013.11.29)
【手続補正１】
【補正対象書類名】明細書
【補正対象項目名】０００４
【補正方法】削除
【補正の内容】